(57)【要約】  【課題】  不純物としてＰb及び／又はＣｕを含み得るＺｎ系化合物中のＰb及び／又はＣｕを有害な試薬を使用することなく簡便且つ高精度で検出する方法提供する。  【解決手段】  先ず、被検体となる水溶性のＺｎ含有化合物の水溶液を調製する。次いで、カルノシンの存在下に該水溶液のｐＨを６〜１０調整することによりＺｎカルノシン錯体を析出さた後、析出物と水相とを分離する。そして、分離された液相中のＰｂイオン濃度又はＣｕイオン濃度を比色分析により測定する。【選択図】  なし【特許請求の範囲】
【請求項１】
水溶性のＺｎ含有化合物であって、不純物としてＰb及び／又はＣｕを含み得るＺｎ含有化合物中のＰb又はＣｕの濃度を測定する方法であって、
（１）  前記Ｚｎ含有化合物の水溶液を調製する工程、
（２）  カルノシンの存在下に前記工程（１）で得られた水溶液のｐＨを６〜１０に調整すると共に、Ｚｎカルノシン錯体を析出させる工程、
（３）  前記工程（２）で得られた、Ｚｎカルノシン錯体からなる析出物を含む水溶液から、液相を分離する工程、及び
（４）  前記工程（３）で分離された液相中のＰｂイオン濃度又はＣｕイオン濃度を比色分析により測定する工程
を含むことを特徴とする方法。
【請求項２】
前記Ｚｎ含有化合物が、Ｚｎカルノシン錯体である請求項１に記載の方法。
【発明の詳細な説明】
【技術分野】
【０００１】
本発明は、不純物としてＰb及び／又はＣｕを含み得るＺｎ系化合物中のＰb及び／又はＣｕを検出する方法に関する。
【背景技術】
【０００２】
ポラプレジンクは亜鉛とＬ−カルノシンの錯体であり、胃潰瘍或いは亜鉛欠乏症による味覚障害に対する医薬として実用化されている（特許文献１および２参照）。医薬品に関しては、不純物金属、特に毒性の高いＰｂを厳密に管理する必要があり、そのためには、不純物金属の分析が不可欠である。医薬品中に含まれる金属成分の分析方法としては、日本薬局方に硫化物として分析する方法が示されているが、該方法で分析の対象となる金属は酸性下で硫化物を形成する金属であり、亜鉛もその対象となっている。ポラプレジンク或いはその中間体においてはその構成元素として亜鉛が含まれているため、これらに含まれる微量の不純物金属（特にＺｎ源に不純物として含まれやすいＰｂやＣｕ）を分析するためには、大量に存在する亜鉛の影響を排除する必要がある。
【０００３】
大量の亜鉛の存在下に微量存在する異種金属の分析をすること自体は可能であるが、ポラプレジンク又はその中間体の製造における工程管理に適用できる分析方法は限られている。たとえば、蛍光試薬を使い選択的に鉛イオンを検出する方法も開発されているが蛍光試薬が一般的に市販されていないという問題がある。また、電気化学的な測定法として還元電流量を測定する方法があるが有害な水銀電極を利用しなければならないといった問題がある。さらに、ＩＣＰ発光分析法は、装置が高価であるといった問題が挙げられる。
【０００４】
上記したような工程管理用の分析方法としては、高価な装置を必要とせずに簡単な操作で十分な精度の分析ができるという観点から比濁法や比色法が適している。
【０００５】
一般に、比濁法や比色法で大量のＺｎイオンの共存下における微量金属イオンの量を測定する際には、Ｚｎイオンをシアン化カリウムや１，１０−フェナントロリンなどの隠蔽剤を用いて隠蔽した後に微量金属イオンを分析する方法、或いは微量金属イオンを不溶物に転化させ、これを沈殿等の方法で分離して分析する方法が採用されている。
【０００６】
たとえば、日本薬局方には、酸化亜鉛中の微量金属の分析法としてシアン化物イオンを隠蔽剤として用い硫化物イオンを加えて比濁する方法、及び硫酸亜鉛中の微量金属の分析としてクロム酸カリウムを添加しクロム酸鉛の沈殿を比濁する方法が挙げられている（非特許文献１参照）。また、共存イオンからＰｂを分離する方法としては、塩酸酸性条件でＰｂを沈殿としてろ別する方法、クロム酸カリウムを加えてＰｂをクロム酸鉛の沈殿として分離する方法、硫酸イオンを加え、硫酸鉛の沈殿として分離する方法が知られている（非特許文献２参照）。また、共存イオンからＣｕを分離する方法としては、オキシン塩に誘導し沈殿として分離する方法、アスコルビン酸で還元した後ヨウ化物やチオシアン塩に誘導して沈殿として分離する方法が知られている（非特許文献３参照）。
【０００７】
【特許文献１】特公平３−５３６７号公報
【特許文献２】特公平７−１１６１６０号公報
【非特許文献１】第十一改正日本薬局方解説書、日本公定書協会・廣川書店、１９８６年発行、Ｃ−８２１〜Ｃ−824
【非特許文献２】超微量成分分析２、第２版、高純度金属・半導体、産業図書、１９７３年発行、ｐ．２０１〜２１７
【非特許文献３】キレート滴定法、第１１版、南江堂、１９６５年発行、ｐ．２５１
【発明の開示】
【発明が解決しようとする課題】
【０００８】
ところが、医薬品や医薬中間体の工程管理用の分析に於いては、安全に対する要求の高まりから有害な試薬の使用が制限される傾向にある。このため、シアン化物イオンやクロム酸カリウムなどの有害試薬を使用する日本薬局方に挙げられている従来の分析方法を使用することが難しくなってきている。
【０００９】
また、ＰｂやＣｕといった分析対象金属を沈殿物として分離し、それを分析する方法は、ＰｂやＣｕが微量である場合にはそれぞれの塩がわずかに溶解するため、分析精度が低くなるという問題が起こる。
【００１０】
このように、ポラプレジンクのように不純物としてＰb及び／又はＣｕを含み得るＺｎ系化合物中のＰb又はＣｕを、有害な試薬を使用することなく簡便且つ高精度で検出する方法は知られていない。そこで、本発明はこのような方法を提供することを目的とする。
【課題を解決するための手段】
【００１１】
本発明者等は、上記課題を解決すべく鋭意検討を行なった。その結果、ポラプレジンクを酸性又はアルカリ性の水溶液に溶解させた後、溶液を中和してポラプレジンクを析出させた場合、不純物金属は析出物中には取り込まれ難く、殆どが溶液中にイオンとして残るという知見を得た。そして、該知見に基づきさらに検討を行なったところ、ポラプレジンクのようなＺｎ−カルノシン錯体以外の含Ｚｎ化合物についても、一旦これを水に溶解させて水溶液とし、該水溶液に中性条件下でカルシンを添加した場合にも、含Ｚｎ化合物に含まれる不純物金属をイオンとして溶液中に残したまま亜鉛イオン（又はＺｎ含有イオン）を沈殿物として析出させることができることを見出し、本発明を完成するに至った。
【００１２】
即ち、本発明は、水溶性のＺｎ含有化合物であって、不純物としてＰb及び／又はＣｕを含み得るＺｎ含有化合物中のＰb又はＣｕの濃度を測定する方法であって、
（１）  前記Ｚｎ含有化合物の水溶液を調製する工程、
（２）  カルノシンの存在下に前記工程（１）で得られた水溶液のｐＨを６〜１０に調整すると共に、Ｚｎカルノシン錯体を析出させる工程、
（３）  前記工程（２）で得られた、Ｚｎカルノシン錯体からなる析出物を含む水溶液から、液相を分離する工程、及び
（４）  前記工程（３）で分離された液相中のＰｂイオン濃度又はＣｕイオン濃度を比色分析により測定する工程
を含むことを特徴とする方法である。
【発明の効果】
【００１３】
本発明によれば、ポラプレジンクのようなＺｎ含有化合物に不純物として含まれ得るＰｂやＣｕの濃度を、有害な試薬を使用することなく、比色法という簡単な方法で精度よく測定することができる。
【発明を実施するための最良の形態】
【００１４】
本発明の方法では、水溶性のＺｎ含有化合物であって、不純物としてＰb及び／又はＣｕを含み得るＺｎ含有化合物中のＰb又はＣｕの濃度を測定する。
【００１５】
本発明の方法において、測定の対象となる水溶性のＺｎ含有化合物は、化合物（錯体も含む）の構成元素としてＺｎを含み、且つ水溶性があり、しかも不純物としてＰb及び／又はＣｕを含む可能性のある化合物であれば特に限定されない。ここで水溶性があるとは、酸性、中性、塩基性の何れかの条件で水に可溶であること、別言すれば酸性水溶液、水及び塩基水溶液から成る群より選ばれる少なくとも１つに可溶であることを意味する。また、可溶であるとは、１ｇ以上、より好ましくは１０ｇ以上のＺｎ化合物が溶媒となる酸水溶液、水又は塩基性水溶液１００ｇに完全に溶解することを意味する。
【００１６】
本発明で使用する上記Ｚｎ化合物を具体的に示せば、ポラプレジンク等のＺｎ−カルノシン錯体（該錯体は、酸性及びアルカリ性の条件下で水に可溶であるが、中性の水又は水溶液、より具体的にはｐＨが６〜１０の水又は水溶液には難溶若しくは不溶である。）、ジメチル亜鉛やジエチル亜鉛などのアルキル亜鉛類、ポルフィリン亜鉛錯体、フタロシアニン亜鉛錯体等の有機亜鉛化合物；金属亜鉛又は亜鉛を含む合金；塩化亜鉛、酢酸亜鉛、硫酸亜鉛、硝酸亜鉛、亜鉛酸塩類；閃亜鉛鉱類；及び酸化亜鉛（亜鉛華）や過酸化亜鉛等の亜鉛酸化物を挙げることができる。これらの中でも、他の分析方法を適用するのが困難であるという理由から、ポラプレジンク等のＺｎ−カルノシン錯体を使用するのが好ましい。
【００１７】
このような化合物は、その精製度合いにもよるが、その化合物を製造する際に使用される亜鉛原料に起因して、通常、それぞれ０〜１００ｐｐｍ（質量基準）、好ましくは０〜１０ｐｐｍ（質量基準）のＰｂ又はＣｕを不純物として含有している。
本発明の方法は、水、酸性水溶液、塩基性水溶液に対して溶解性を持たないＺｎ化合物に対して直接適用することはできないが、これらＺｎ化合物を空気中で燃焼させて酸化亜鉛等の水溶性Ｚｎ系化合物に誘導できるものであれば、間接的に適用することができる。Ｚｎ化合物の燃焼の方法としては例えば日本薬局方の重金属試験法記載の方法等を挙げることができる。
【００１８】
本発明の方法では、先ず工程（１）において、前記Ｚｎ含有化合物の水溶液を調製する。上記水溶液の調製は、前記した水溶性のＺｎ含有化合物と酸性水溶液、水または塩基水溶液とを混合することにより行われる。Ｚｎ含有化合物が中性の水に可溶である場合には、通常水を使用し、Ｚｎ含有化合物が中性の水に不溶である場合には、酸性水溶液または塩基性水溶液が使用される。これら水または水溶液としては、亜鉛、鉛、Ｃｕを含まないものであればとくに限定されるものではないが、水としてはイオン交換水、超純水または蒸留水を使用するのが好適である。また酸性水溶液或いは塩基性水溶液としては、これらの水に酸あるいは塩基を溶解させたものが使用される。このとき使用される酸及び塩基は、Ｚｎ、Ｐｂ、Ｃｕを含まないものであれば特に制限されず、酸としては、塩酸、硝酸、硫酸、燐酸、酢酸、クエン酸等の酸あるいはそれらの混合物が使用できる。また、塩基性水溶液としては、水に塩基を溶解させたものが使用できる。塩基としては、酸化ナトリウム、水酸化カリウム、水酸化カルシウム、水酸化アンモニウム、炭酸水素ナトリウム、アンモニア、あるいはそれらの混合物が使用できる。
【００１９】
水溶性のＺｎ含有化合物１ｇに対し、溶解させる酸性水溶液、水または塩基水溶液の量は１００ｇ以下が好ましく、多すぎると不純物のＰｂやＣｕの濃度が希薄になり比色分析の感度が悪くなる恐れがある。また、使用量が少なすぎると後の工程でＺｎ−カルノシン錯体のろ過が困難になるという点から１〜１０ｇが特に好ましい。水溶性のＺｎ含有化合物を溶解させる温度は、酸性水溶液、水及び塩基水溶液が液体である温度範囲内でとくに限定されないが、水溶性のＺｎ含有化合物の溶解が少量の酸性水溶液、水及び塩基水溶液でよいという点から５℃以上が好ましい。一方、あまりに高温であると酸性水溶液、水及び塩基水溶液が蒸発して測定誤差の原因になるという点から８０℃以下が好ましい。
【００２０】
本発明の方法では、工程（２）において、カルノシンの存在下に前記工程（１）で得られた水溶液のｐＨを６〜１０に調整すると共に、Ｚｎカルノシン錯体を析出させる。ここで、カルノシンとしては、β−アラニンとＬ−ヒスチジンが縮合したＬ−カルノシン、β−アラニンとＤ−ヒスチジンが縮合したＤ−カルノシン、及びＬ−カルノシンとＤ−カルノシンの混合物が使用できる。Ｌ−カルノシンとＤ−カルノシンの混合物を使用する場合、両者の混合比は特に限定されず、任意に定めることができる。カルノシンにおいては、その分子内のカルボキシル基やアミノ基の構造により、酸型（−ＮＨ３＋）、塩基型（−ＣＯＯ−）、中性型（−ＣＯＯＨ，−ＮＨ２）に分類されるが、本発明では、いずれの型のカルノシンでも使用できる。
【００２１】
カルノシンの存在下に前記工程（１）で得られた水溶液のｐＨを調整する方法は特に限定されなず、例えば、前記工程（１）で得られた水溶液がｐＨ６未満の酸性水溶液またはｐＨ１０を越える塩基性水溶液である場合には、これら水溶液にカルノシンを添加し、中和することによりｐＨを所定の範囲に調製すればよい。また、前記工程（１）で得られた水溶液がｐＨ６〜１０の水溶液である場合には、該水溶液に単にカルノシンを添加すればよい。
【００２２】
中和に際して使用される酸及び塩基は、Ｚｎ、Ｐｂ、Ｃｕを含まないものであれば特に制限されず、前記工程（１）の説明で示したものと同様なものが使用できる。しかしながら、クエン酸等の多価の有機酸は生成するＺｎカルノシン錯体の溶解度を高めてしまう効果があるため、塩酸、硝酸、硫酸、燐酸等の強酸あるいは酢酸、蟻酸などの一価の有機酸を使用するのが好ましい。ｐＨを調整する酸あるいは塩基の規定度はあまりに低すぎると不純物のＰｂやＣｕの濃度が希薄になり比色分析の感度が悪くなるという点から０．０１Ｎ以上が好ましく、とくに０．１Ｎ以上が好ましい。なお水酸化ナトリウムや炭酸水素ナトリウムなどの固体のものについては固体のまま加えても良い。
【００２３】
カルノシンは固体のままあるいは水に溶解させて添加することができる。添加するカルノシンの量は、水溶液に含まれるＺｎ１グラム原子に対して１モル以上であればよいが、比色分析におけるＺｎの影響を排除する効果が高いという観点からＺｎ１グラム原子に対して１．１〜１０モル、特に１．５〜５モル使用するのが好ましい。例えば、塩化亜鉛１ｇを含む水溶液（亜鉛０．００７４グラム原子を含む）を使用する場合には、１．６６ｇ（０．００７４モル）以上のカルノシン（分子量２２６．２４）を使用すればよい。
【００２４】
なお、前記工程（１）で得られた水溶液に含まれる含Ｚｎか号物がポラプレジンク等のＺｎカルノシン錯体のように、化合物内にカルノシンおよびその前駆体が含まれる場合には、カルノシンは水溶液中に存在することになるので、ｐＨ調製に際してカルノシンを添加する必要は特にないが、安定した分析結果を得るために、Ｚｎ１グラム原子に対して０．１〜９モル、特に０．５〜４モルのカルノシンを添加量するのが好適である。
【００２５】
水溶液中で水溶性含Ｚｎ化合物とカルノシンが共存するとＺｎカルノシン錯体が形成される。このＺｎカルノシン錯体は中性の水にはほとんど溶解しないことが知られている。このため、カルノシンの存在下に前記工程（１）で得られた水溶液のｐＨを６〜１０、好ましくは５〜８さらに好ましくは７に調整すると、形成されたＺｎカルノシン錯体は析出し沈殿する。一方、不純物として含まれるＰｂまたはＣｕは析出せずにイオンの状態で液相に残ることになる。
【００２６】
本発明の方法では、工程（３）において、前記工程（２）で得られた、Ｚｎカルノシン錯体からなる析出物を含む水溶液から、液相を分離する。このとき前記工程（２）でｐH調整した液の液温があまり高すぎるとＺｎカルノシン錯体の溶解度が大きくなるため、液温は０〜３０℃とするのが好ましい。また、分離される液相に含まれるＺｎカルノシン錯体の量を少なくするために、分離前にＺｎカルノシン錯体の熟成を行なうのが好ましく、そのために０〜３０℃で３０分以上静置または攪拌してから分離操作を行なうことが望ましい。なお、静置と攪拌は組み合わせても良い。さらに、水分の蒸発による測定誤差の影響を避けるため、このときの静置あるいは攪拌する時間は３０分以上２４時間以内とするのが好ましい。
【００２７】
析出物と液相との分離方法としては、ろ過、デカンテーション等の一般に採用される固液分離法が限定されることなく用いることができる。ろ過方法としては遠心分離、自然ろ過、吸引ろ過、加圧ろ過等が挙げられる。また、後段の分析において使用する液相の量が少なくてもよい場合は、水相を全て分離する必要はないので、上澄み液をピペット等で採取してもよい。この場合、全水相の量に対する採取量を把握しておけば、後段の分析結果から試料として使用した水溶性含Ｚｎ化合物中のＰｂまたはＣｕ量を求めることができる。
【００２８】
本発明の方法では、工程（４）において、前記工程（３）で分離された液相中のＰｂイオン濃度又はＣｕイオン濃度を比色分析により測定する。前記工程（３）で分離された液相は、前記工程（１）で調製された水溶液と比べるとＺｎの含有量が極めて少ないものとなっているが、少量のＺｎイオンを含む。このため、比色分析に際しては、Ｚｎに対する遮蔽を行なうのが好適である。ＰｂまたはＣｕの比色分析及びＺｎ遮蔽方法としては特に限定されず、たとえば以下に示すような方法が好適に採用できる。
【００２９】
即ち、Ｐｂイオンの分析法としては、(i)アンモニアで弱塩基性条件にしたのち、シアン化カリウムを隠蔽剤として加えテトラフェニルポルフィリンテトラスルホン酸等の水溶性のポルフィリンで発色させて黄色（λ＝４６４ｎｍ）の吸光度を測定する方法、(ii)塩基性条件下、シアン化カリウムを隠蔽剤として加えジチゾンの四塩化炭素溶液を加えて有機層の赤色（λ＝５３０ｎｍ）の吸光度を測定する方法、(iii)酢酸／酢酸ナトリウム緩衝溶液で弱酸性条件にしたのち、１，１０−フェナントロリン水溶液を隠蔽剤として加えキシレノールオレンジを加えて紫色（λ＝５８０ｎｍ）の吸光度を測定する方法、(iv)塩基性条件下で酒石酸、ＥＤＴＡ、トリエタノールアミン、ブロモチモールブルーを加えて６００ｎｍの吸光度を測定する方法、(v)弱酸性条件下、シアン化カリウム、ＥＤＴＡ、ピロガロールレッドを加えて５３０ｎｍの吸光度を測定する方法、(vi)シアン化カリウム、ピリジルアゾレゾルシノールを加え５４０ｎｍの吸光度を測定する方法が好適に採用できる。中でも特に毒性が低いという点から前記(iii)の方法を採用するのが好ましい。
【００３０】
上記(iii)の方法では、前記工程（３）で分離された水相（Ｐｂイオン及び／又はＣｕイオンを含み得る水溶液）１（ｍｌ）に緩衝溶液（ｐＨ＝５．５）を０．１（ｍｌ）加え、飽和１，１０−フェナントロリン水溶液１（ｍｌ）、０．１％のキシレノールオレンジ水溶液を加えて攪拌し５８０ｎｍの吸光度を測定する。このとき使用する緩衝溶液はｐＨが５．５となるものであれば特に制限されない。このような緩衝溶液を例示すると酢酸／酢酸ナトリウム、リン酸二水素カリウム／水酸化ナトリウム、リン酸二水素カリウム／リン酸水素二ナトリウム、リン酸二水素ナトリウム／リン酸水素二ナトリウム、クエン酸／リン酸水素二ナトリウム、フタル酸水素カリウム／水酸化ナトリウム、クエン酸ナトリウム／水酸化ナトリウム、クエン酸二水素ナトリウム／水酸化ナトリウム、コハク酸／四ホウ酸ナトリウム、乳酸／乳酸ナトリウム、ギ酸／水酸化ナトリウムが挙げられる。緩衝溶液の濃度はあまりに濃度が低いと緩衝の効果が少なく、あまりに濃度が高いと共通イオン効果等の影響により塩が析出してくることから０．０１〜１０Ｎが好ましく、０．１〜１Ｎが特に好ましい。
【００３１】
１，１０−フェナントロリンは、３分子でひとつのＺｎイオンを隠蔽することができる。水には難溶であるが水１００ｇあたり１，１０−フェナントロリンは１．５ｇ程度溶解できる。１（ｍｌ）を使うことで１６ｍｇのＺｎを隠蔽できる。なお、前記操作によって得たＰｂイオン及び／又はＣｕイオンを含む水溶液１（ｍｌ）中にはＺｎが１ｍｇ程度残っており１，１０−フェナントロリン飽和水溶液１（ｍｌ）を加えることで十分隠蔽が可能である。隠蔽剤が多すぎても比色には影響を与えることは稀であるが、あまりに少ないとＺｎが隠蔽できずあまりに多いと不純物の濃度が低くなって感度が悪くなることから加える飽和１，１０−フェナントロリン飽和水溶液は０．０１（ｍｌ）〜５（ｍｌ）が好ましく、とくに０．１〜２．０（ｍｌ）が特に好ましい。
【００３２】
キシレノールオレンジは水に溶解させることができ、Ｐｂと１：１のキレートを形成して紫色を呈する。添加するキシレノールオレンジは少なすぎるとＰｂとキレートを形成させることができず、またあまり多すぎるとＰｂとキレートを形成していないキシレノールオレンジによって吸光度の妨害を受けるため０．１％のキシレノールオレンジ水溶液を０．０１〜１（ｍｌ）添加するのが好ましい。５８０ｎｍの吸光度を測定することでＰｂとＣｕの検出が可能となる。
【００３３】
一方Ｃｕイオンの分析法として好適な方法を例示すると、(i)前述のように弱酸性条件下、１，１０−フェナントロリンを隠蔽剤として加えキシレノールオレンジを加えて紫色（λ＝５８０ｎｍ）の吸光度を測定する方法、(ii)塩酸とクロロ酢酸を加え吸光度を測定する方法、ピリジルアゾ２−ナフトールを加え吸光度を測定する方法、(iii)ムレキシドを加えて吸光度を測定する方法、アンモニアとナフトールバイオレットを加えて５７０ｎｍの吸光度を測定する方法、(iv)カルセインを加えて消光する蛍光を観測する方法等が挙げられる。
【００３４】
前記工程で分離された水相（Ｐｂイオン及び／又はＣｕイオンを含み得る水溶液）がＣｕイオンを含無場合には青色を呈するので、６００ｎｍの吸光度を測定することでＣｕイオンの定量が可能である。感度を高める目的でアンモニア、ジエチルアミン、トリエチルアミン、エチレンジアミン等のアミンを加えて吸光度を測定する方法も挙げることができる。
【００３５】
これらの方法を使うことにより、亜鉛、亜鉛酸化物、塩化亜鉛、ポルフィリン亜鉛錯体等の水溶性Ｚｎ系化合物を毒性の高い試薬を用いることなく容易にＰｂやＣｕを分析することが可能である。
【００３６】
以下、実施例によって本発明をさらに詳細に説明するが、本発明はこれらの実施例に限定されるものではない。
【００３７】
なお、以下に示す実施例及び比較例で使用したＺｎカルノシン錯体は、メタノール中酢酸亜鉛、カルノシン、水酸化ナトリウムを室温で攪拌し、ろ過して水で洗浄を繰り返すことで得た。得られたＺｎカルノシン錯体はＩＣＰ―ＭＳで測定し、ＰｂとＣｕは含まれていないことを確認した。
【００３８】
実施例１
Ｚｎカルノシン錯体（Ｐｂ、Ｃｕ不含）１００ｍｇに１０ｐｐｍのＰｂ標準液を０、１００、２００（μｌ）加えたものを用意し容量を調整するためイオン交換水をそれぞれ２００、１００、０（μｌ）加えた。３Ｎ−塩酸を１（ｍｌ）加えてＺｎカルノシン錯体を完全に溶解させ３Ｎ−水酸化ナトリウムを１（ｍｌ）、水を１（ｍｌ）加えてｐＨをそれぞれ７．３に調製し白色の沈殿を形成させた。２５℃で１時間放置した後メンブレンフィルターでろ過した。それぞれのろ液を１（ｍｌ）取り、酢酸−酢酸ナトリウム緩衝液（ｐＨ＝５．５）を１００（μｌ）加え、飽和１，１０−フェナントロリン水溶液を１（ｍｌ）加えた。０．１％キシレノールオレンジ水溶液を１００（μｌ）加え５８０ｎｍの吸光度を測定したところそれぞれ０．０６３Abs、０．０８９Abs、０．１２９Abs（相関係数＝０．９８５２）であった。
【００３９】
実施例２
Ｚｎカルノシン錯体（Ｐｂ、Ｃｕ不含）１００ｍｇに１０ｐｐｍのＣｕ標準液を０、１００、２００（μｌ）加えたものを用意し容量を調整するためイオン交換水をそれぞれ２００、１００、０（μｌ）加えた。３Ｎ−塩酸を１（ｍｌ）加えてＺｎカルノシン錯体を完全に溶解させ３Ｎ−水酸化ナトリウムを１（ｍｌ）、水を１（ｍｌ）加えてｐＨをそれぞれ７．３に調製し白色の沈殿を形成させた。２５℃で１時間放置した後メンブレンフィルターでろ過した。それぞれのろ液を１（ｍｌ）取り、酢酸−酢酸ナトリウム緩衝液（ｐＨ＝５．５）を１００（μｌ）加え、飽和１，１０−フェナントロリン水溶液を１（ｍｌ）加えた。０．１％キシレノールオレンジ水溶液を１００（μｌ）加え５８０ｎｍの吸光度を測定したところそれぞれ０．０６０Abs、０．０８１Abs、０．０９６Abs（相関係数＝０．９９０８）であった。
【００４０】
実施例３
Ｐｂ濃度未知のＺｎカルノシン錯体１００ｍｇを２００（μｌ）の水と３Ｎ塩酸１（ｍｌ）を加えて完全に溶解させた。３Ｎ−水酸化ナトリウムを１（ｍｌ）、水を１（ｍｌ）加えてｐＨをそれぞれ７．３に調製し白色の沈殿を形成させた。２５℃で１時間放置した後メンブレンフィルターでろ過した。それぞれのろ液を１（ｍｌ）取り、酢酸−酢酸ナトリウム緩衝液（ｐＨ＝５．５）を１００（μｌ）加え、飽和１，１０−フェナントロリン水溶液を１（ｍｌ）加えた。０．１％キシレノールオレンジ水溶液を１００（μｌ）加え５８０ｎｍの吸光度を測定したところ０．０７４であった。検量線からＰｂ濃度は７ｐｐｍであると計算された。同じ試料をＩＣＰ−ＭＳで測定したところＰｂは７ｐｐｍでありよく一致した。
【００４１】
比較例１
Ｚｎカルノシン錯体（Ｐｂ、Ｃｕ不含）１００ｍｇに１０ｐｐｍのＰｂ標準液を０、１００、２００（μｌ）加えたものを用意し容量を調整するためイオン交換水をそれぞれ２００、１００、０（μｌ）加えた。１（ｍｌ）ずつ取り、酢酸−酢酸ナトリウム緩衝液（ｐＨ＝５．５）を１００（μｌ）加え、飽和１，１０−フェナントロリン水溶液を１（ｍｌ）加えた。０．１％キシレノールオレンジ水溶液を１００（μｌ）加え５８０ｎｍの吸光度を測定したところそれぞれ０．９２０Abs、０．９２１Abs、０．９１８Absであった。
【００４２】
比較例２
Ｚｎカルノシン錯体（Ｐｂ、Ｃｕ不含）１００ｍｇに１０ｐｐｍのＣｕ標準液を０、１００、２００（μｌ）加えたものを用意し容量を調整するためイオン交換水をそれぞれ２００、１００、０（μｌ）加えた。１（ｍｌ）ずつ取り、酢酸−酢酸ナトリウム緩衝液（ｐＨ＝５．５）を１００（μｌ）加え、飽和１，１０−フェナントロリン水溶液を１（ｍｌ）加えた。０．１％キシレノールオレンジ水溶液を１００（μｌ）加え５８０ｎｍの吸光度を測定したところそれぞれ０．９２４Abs、０．９２６Abs、０．９２３Absであった。